(57)【要約】  【課題】合板製の天板本体を備えた天板において、少ない部品点数であらゆる方向からの天板を変形させる作用に対する剛性を確保し、さらにこのような天板の組立工数を削減できるようにする。  【解決手段】合板製の天板本体３を備えた天板１において、前記天板本体３に、平面部３１と、その平面部３１の対向する２辺部分に設けられ合板を湾曲させることにより形成したカール部３２とを具備させ、その天板本体３に前記カール部３２に交叉する方向にのみ補強材４を添設する構成を採用する。  【選択図】図２
2008113992.tif 000002
【特許請求の範囲】
【請求項１】
合板製の天板本体を備えた天板であって、前記天板本体は、平面部と、その平面部の対向する２辺部分に設けられ合板を湾曲させることにより形成したカール部とを具備してなり、その天板本体に前記カール部に交叉する方向にのみ補強材を添設したことを特徴とする天板。
【請求項２】
合板製の天板本体を備えた天板であって、前記天板本体は、平面部と、その平面部の対向する２辺部分に設けられ合板を湾曲させることにより形成したカール部とを具備してなり、その天板本体の平面部裏面に補強用平板を添設したことを特徴とする天板。
【請求項３】
請求項１又は２記載の天板を有するものであって、前記天板のカール部から連続して垂下する脚部を具備することを特徴とする天板付き家具。
【請求項４】
請求項１又は２記載の天板を有するものであって、前記天板の下方に門形の脚体を対に設けているとともに、前記天板の補強材又は補強用平板に前記脚体を接合していることを特徴とする天板付き家具。
【請求項５】
前記脚体が、１対の脚支柱と、脚支柱の上端間を接続するとともに天板の下面に添接する横架材と具備するものであって、前記横架材の下端の高さ位置が前記補強材又は補強用平板の下端の高さ位置よりも下方にあることを特徴とする請求項４記載の天板付き家具。
【発明の詳細な説明】
【技術分野】
【０００１】
本発明は、合板製の天板本体を備えた天板、及びこのような天板を具備する天板付き家具に関する。
【背景技術】
【０００２】
従来より、合板製の天板を備えた天板付き家具は広く知られている。このような天板においては、合板の乾燥工程や、使用中の水分吸収及び乾燥等によりあらゆる方向に反りやねじれが発生しうる。そこで従来は、このような反りやねじれの発生を抑えるべく、天板の下方に枠体を添接させるようにしている（例えば、特許文献１を参照）。
【特許文献１】特開２００４−１６６９３６号公報
【発明の開示】
【発明が解決しようとする課題】
【０００３】
ところで、前記特許文献１記載の構成のような枠体を形成するには、天板の巾方向に延伸する横枠材、及び天板の奥行き方向に延伸する縦枠材の双方をそれぞれ１対ずつ用意する必要がある。また、これら横枠材及び縦枠材から矩形の枠体を成形してこの枠体を天板の下方に添接ないし固定するか、あるいは横枠材及び縦枠材をそれぞれ天板の下方に添接ないし固定する工程を必要とする。しかして、このような天板付き家具においても、さらなる部品点数の削減及び組立工数の削減の要望が存在する。
【０００４】
本発明は、以上に述べた課題を解決すべく構成するものである。
【課題を解決するための手段】
【０００５】
すなわち本発明に係る天板の一つは、合板製の天板本体を備えた天板であって、前記天板本体は、平面部と、その平面部の対向する２辺部分に設けられ合板を湾曲させることにより形成したカール部とを具備してなり、その天板本体に前記カール部に交叉する方向にのみ補強材を添設したことを特徴とする。
【０００６】
また、本発明に係る天板の他の一つは、合板製の天板本体を備えた天板であって、前記天板本体は、平面部と、その平面部の対向する２辺部分に設けられ合板を湾曲させることにより形成したカール部とを具備してなり、その天板本体の平面部裏面に補強用平板を添設したことを特徴とする。
【０００７】
これらのようなものであれば、前記カール部を設けることにより、このカール部がリブとして機能し、このカール部を湾曲させるような天板の変形を防ぎつつ、天板をその他の方向に変形させる作用に対する剛性を、補強材又は補強用平板により確保できる。すなわち、少ない部品点数であらゆる方向からの天板を変形させる作用に対する剛性を確保し、さらにこのような天板の組立工数を削減できる。
【０００８】
このような天板を有する天板付き家具の一例として、前記天板のカール部から連続して垂下する脚部を具備することを特徴とするものが挙げられる。このような構成であれば、天板本体及び脚部を同一の合板を利用して形成し、このような立体構造物の略全体を一体に成形できる。
【０００９】
また、上述した天板を有する天板付き家具の他の一例として、前記天板の下方に門形の脚体を対に設けているとともに、前記天板の補強材又は補強用平板に前記脚体を接合しているものが挙げられる。
【００１０】
特に、前記脚体が、１対の脚支柱と、脚支柱の上端間を接続するとともに天板の下面に添接する横架材と具備するものであって、前記横架材の下端の高さ位置が前記補強材又は補強用平板の下端の高さ位置よりも下方にある構成を採用すれば、前記補強材又は補強用平板を横架材により隠蔽して見栄えを整えることができる。
【発明の効果】
【００１１】
本発明に係る天板の構成によれば、合板製の天板本体にカール部を設けることにより、このカール部がリブとして機能し、このカール部を湾曲させるような天板の変形を防ぎつつ、天板をその他の方向に変形させる作用に対する剛性を、天板本体の下面に接合した補強材又は補強用平板により確保できる。すなわち、少ない部品点数であらゆる方向からの天板を変形させる作用に対する剛性を確保し、さらにこのような天板の組立工数を削減できる。
【発明を実施するための最良の形態】
【００１２】
以下、本発明の第一実施形態を、図面を参照して説明する。
【００１３】
本実施形態に係る天板付き家具たるテーブルＴは、図１ないし図４に示すように、天板１と、この天板１の左右両端を下方からそれぞれ支持し床面から起立する脚部２とを具備する。ここで、図１にはテーブルＴの全体斜視図、図２にはテーブルＴの正面図、図３にはテーブルＴの底面図、図４にはテーブルＴの側面図をそれぞれ示している。
【００１４】
具体的には、前記天板１は、合板製の天板本体３と、この天板本体３の下面に添設した補強材４とを具備する。前記天板本体３は、前記図１及び図２に示すように、平面部３１と、その平面部３１の対向する２辺部分、具体的には左右両側端部に、合板を湾曲させることにより形成したカール部３２とを具備し、前後両側端縁を使用端縁としている。このカール部３２は、前記平面部３１から離間するに従い下方に向かい、下端すなわち外側端が前記脚部２の上端に滑らかに接続する。また、このカール部３２は、この天板１の奥行き方向に延伸する。一方、前記補強材４は、前記図３に示すように、また、この補強材４の天板１への取付態様を示す底面斜視図を図５に示すように、前記カール部３２に交叉する方向、具体的にはこの天板１の巾方向に延伸し、前記平面部３１の下面に接着剤及びビスにより接合させている。また、この補強材４は、天板本体３の幅寸法の全域に亘って添接している。そして、この補強材４は、本実施形態では対向する２辺、具体的には両長辺の近傍にそれぞれ１本ずつ設けている。なお、この補強材４は、奥行き方向中央部に１本だけ設けるようにしてもよく、また、３本以上設けてももちろんよい。
【００１５】
一方、前記脚部２は、前記図１、図２、図４、及び図５に示すように、本実施形態では前記天板本体３のカール部３２と一体に形成していて、上述したように前記カール部３２の下端すなわち外側端とこの脚部２の上端とが滑らかに接続するようにしている。また、本実施形態では、左右の脚部２、２のそれぞれが、互いに前後方向に離間するとともに床面から起立する脚本体２１、２１と、これら脚本体２１、２１の上端部間を接続するとともに前記カール部３２の下端から延伸する接続部２２とを有する。
【００１６】
このテーブルＴは、以下のようにして成形する。
【００１７】
まず、天板本体３及び脚部２となるべき合板の単板を、前記左右のカール部３２、３２で湾曲させるとともに９０度屈曲させ、カール部３２、３２間の部分を天板本体３の平面部３１、カール部３２、３２より外方の部分を脚２とする。次いで、脚部２とした部分の奥行き方向中間部に切り欠き２ｘを設け、切り欠き２ｘの上方を接続部２２、切り欠きの前後両側を脚支柱２１、２１とする。なお、前記切り欠き２ｘは必ずしも設けなくてよく、そのまま床面から起立する板状の脚としてもよい。それから、４箇所の脚支柱２１が接地するように脚支柱２１の下端を切断する。そして、補強材４の長手方向両端をカール部３２の下面と係合させた状態で、接着剤によりこの補強材４を天板本体３に接着し、さらにビスで固定する。
【００１８】
このように形成したテーブルＴに加えられる作用、また、乾燥の際の変形に伴いテーブルＴの各部に加えられる作用に対する剛性について以下に述べる。まず、天板１の短辺を屈曲させる反り及びねじれに対しては、天板本体３の両短辺すなわち両側縁に形成したカール部３２が、このような反り及びねじれに伴う天板１の変形を規制するリブとして機能する。すなわち、前記カール部３２を設けることにより、このような作用に対しての剛性を確保している。その上で、天板本体３の長辺を屈曲させる反り及びねじれに対する剛性は、前記カール部３２、３２の延伸方向に直交する方向、すなわちこの天板本体３の長辺方向に延伸する補強材４により確保している。
【００１９】
従って、本実施形態に係る天板１の構成によれば、天板本体３の左右両側縁にカール部３２、３２を設けることにより、このカール部３２の一端が他端に対して上下に移動するような作用を規制するリブとしてこのカール部３２、３２を機能させ、天板１の奥行き方向に延伸する補強材を省略することができる。すなわち、少ない部品点数であらゆる方向からの天板１を変形させる作用に対する剛性を確保し、さらにこのような天板１の組立工数を削減できる。
【００２０】
また、本実施形態に係るテーブルＴの構成によれば、前記天板１のカール部３２、３２から脚部２を連続して垂下させていて、天板本体３及び脚部２を同一の合板を利用して形成しているので、このようなテーブルＴの略全体を一体に成形できる。
【００２１】
なお、天板本体３及び脚部２は、１組の単板を積層させて湾曲成形させたものにより全体を形成してもよく、また、前半部及び後半部をそれぞれ１組の単板を積層させて湾曲成形させたものにより形成し、その後前半部及び後半部を接合するようにして天板本体３及び脚部２を形成しても良い。
【００２２】
次に、本発明の第二実施形態について述べる。
【００２３】
本実施形態に係る天板付き家具であるテーブルＴＴは、図６ないし図９に示すように、矩形状をなす天板Ａ１と、この天板Ａ１を下方から支持する脚体Ａ２とを具備する。そして、天板Ａ１の対向する２辺、具体的には長辺を使用端縁に設定している。ここで、図６にはテーブルＴＴの全体斜視図、図７にはテーブルＴＴの正面図、図８には図７におけるｘ−ｘ断面図、図９には図７におけるｙ−ｙ断面図をそれぞれ示している。
【００２４】
前記天板Ａ１は、前記図８及び図９に示すように、天板本体Ａ３と、この天板本体Ａ３に下方から添接させた補強用平板Ａ４とを具備する。なお、この補強用平板Ａ４の天板本体Ａ３への取付態様を示す底面斜視図を図１０に示している。
【００２５】
さらに詳述すると、前記天板本体Ａ３は、前記図６及び図７に示すように、平面部Ａ３１と、その平面部Ａ３１の対向する２辺部分、具体的には左右両側端部に、合板を湾曲させることにより形成したカール部３２とを具備する。このカール部Ａ３２は、前記平面部Ａ３１から離間するに従い下方に向かう。また、このカール部Ａ３２は、この天板Ａ１の奥行き方向に延伸する。一方、前記補強用平板Ａ４は前記図９に示すように、、平面部Ａ３１の下方に添接させている。本実施形態ではさらに、この補強用平板Ａ４を前記平面部Ａ３１の下面に接着剤及びビスにより接合させている。また、この補強用平板Ａ４は、平面部Ａ３１の幅寸法の略全域に亘って添接している。
【００２６】
一方、前記脚体Ａ２は、前記図６、図８、図９、及び図１０に示すように、本実施形態では天板Ａ１の両使用端縁近傍の下面長辺にそれぞれ設けていて、左右に離間する１対の脚支柱Ａ２１と、脚支柱Ａ２１の上端間を接続するとともに天板本体Ａ３１の下面に添接する横架材Ａ２２とを一体に具備するものであって、断面視円形の金属パイプを門形に屈曲させて形成している。この脚体Ａ２は、天板本体Ａ３の下面だけでなく補強用平板Ａ４の小口面にも同時に添接させるようにしているとともに、前記補強用平板Ａ４に接合するようにしている。具体的には、この脚体Ａ２の横架材Ａ２１からネジ挿通孔（図示略）を有するブラケットＡ２３を突出させて設けているとともに、このブラケットＡ２３を前記補強用平板Ａ４の下面に添接させ、木ねじを前記ネジ挿通孔に挿通させつつ前記補強用平板Ａ４に螺着させるようにしている。さらに、前記横架材Ａ２２の下端の高さ位置が前記補強用平板Ａ３１の下端の高さ位置よりも下方にあるようにすべく、前記図９に示すように、前記横架材Ａ２２の高さ寸法（パイプ直径）を、前記補強用平板Ａ４の厚さ寸法よりも大きくしている。そして、計４本の前記脚支柱Ａ２１には、下端にキャスタＡ２１１を設けている。加えて、各脚体Ａ２の上端部間には、奥行き方向に延伸する連結材Ａ５を連結している。
【００２７】
このように形成したテーブルＴＴは、まず、天板本体Ａ３のカール部Ａ３２を、このカール部Ａ３２の一端が他端に対して上下に移動するような作用を規制するリブとして機能させることにより、このような作用に対しての剛性を確保している。その上で、横架材Ａ２２を天板本体Ａ３の平面部Ａ３１に直接接合している場合、横架材Ａ２２が天板本体Ａ３の平面部Ａ３１に発生する反り又はねじれに追随して屈曲することがあるが、本実施形態では、横架材Ａ２２を前記補強用平板Ａ４に接合し、平面部Ａ３１に発生する反り及びねじれに対する剛性を前記平面部Ａ３１の下方に接合させた補強用平板Ａ４により確保している。
【００２８】
従って、本実施形態に係る天板Ａ１の構成によれば、天板本体Ａ３の左右両側縁にカール部Ａ３２、Ａ３２を設けることにより、このカール部Ａ３２の一端が他端に対して上下に移動するような作用を規制するリブとしてこのカール部Ａ３２、Ａ３２を機能させ、その上で補強用平板Ａ４を平面部Ａ３１の下面に接合しているので、少ない部品点数であらゆる方向からの天板Ａ１を変形させる作用に対する剛性を確保し、このような天板Ａ１の組立工数を削減できる。
【００２９】
加えて、前記天板Ａ１の下方に門形の脚体Ａ２を対に設けているとともに、前記天板Ａ１の補強用平板Ａ４に前記脚体Ａ２を接合しているので、上述したような天板Ａ１の反り又はねじれ等の変形に追随して脚体が変形する不具合を防ぐことができる。
【００３０】
そして、前記脚体Ａ２が、１対の脚支柱Ａ２１、Ａ２１と、脚支柱Ａ２１、Ａ２１の上端間を接続するとともに天板Ａ１の下面に添接する横架材Ａ２とを具備し、前記横架材Ａ２２の下端の高さ位置が前記補強用平板Ａ４の下端の高さ位置よりも下方にあるので、前記補強用平板Ａ４を前記横架材Ａ２２により隠蔽して見栄えを整えることができる。
【００３１】
なお、本発明は以上に述べた実施形態に限られない。
【００３２】
例えば、上述した第一実施形態において、脚を天板のカール部と一体に接続する代わりに、補強材の使用端縁側に、上述した第二実施形態におけるものと同様の構成を有する門形の脚体を取り付けるようにしてもよい。この場合、脚体の横架材の高さ寸法を補強材の厚さ寸法よりも大きくするとよい。
【００３３】
また、上述した第一実施形態において、補強材に代えて補強用平板を採用してもよく、逆に、上述した第二実施形態において、補強用平板に代えて幅方向に延伸する補強材を採用してもよい。
【００３４】
さらに、上述した第二実施形態において、天板本体の四隅部近傍にそれぞれ設けてなり、補強用平板に上端部をそれぞれ接合しているとともに床面からそれぞれ起立する４本の脚を設ける態様を採用しても良い。この場合、前段で述べたように補強用平板に代えて幅方向に延伸する補強材を採用し、この補強材に脚を接合するようにしても良い。
【００３５】
その他、本発明の趣旨を逸脱しない範囲で種々変形が可能である。
【図面の簡単な説明】
【００３６】
【図１】本発明の第一実施形態に係るテーブルを示す全体斜視図。
【図２】同実施形態に係るテーブルを示す正面図。
【図３】同実施形態に係るテーブルを示す底面図。
【図４】同実施形態に係るテーブルを示す側面図。
【図５】同実施形態に係るテーブルの補強材の天板への取付態様を示す底面斜視図。
【図６】本発明の第二実施形態に係るテーブルを示す全体斜視図。
【図７】同実施形態に係るテーブルを示す正面図。
【図８】図７におけるｘ−ｘ断面図。
【図９】図７におけるｙ−ｙ断面図。
【図１０】同実施形態に係るテーブルの補強用平板の天板への取付態様を示す底面斜視図。
【符号の説明】
【００３７】
Ｔ、ＴＴ…テーブル
１、Ａ１…天板
２…脚部
Ａ２…脚体
３、Ａ３…天板本体
３１、Ａ３１…平面部
３２、Ａ３２…カール部
４…補強材
Ａ４…補強用平板
【図１】
2008113992.tif 000003
【図２】
2008113992.tif 000004
【図３】
2008113992.tif 000005
【図４】
2008113992.tif 000006
【図５】
2008113992.tif 000007
【図６】
2008113992.tif 000008
【図７】
2008113992.tif 000009
【図８】
2008113992.tif 000010
【図９】
2008113992.tif 000011
【図１０】
2008113992.tif 000012